(57)【特許請求の範囲】
【請求項１】
コピー、プリンタおよびファクシミリのうち少なくとも２つの機能を有する画像形成装置において、
ディスプレイを備えた操作パネルと、
前記画像形成装置を使用する前記機能の変更に応じて前記ディスプレイに表示する画像を切り替える機能切替手段と、
前記機能ごとに前記画像として異なる言語による複数の表示データを記憶している第１の記憶手段と、
前記機能ごとに前記複数の表示データの中から前記ディスプレイに表示するものを選択可能とする言語切替手段と、
前記機能ごとに前記複数の表示データの中から前記ディスプレイに最後に表示していたものの言語の種別を記憶する第２の記憶手段と、
前記機能切替手段により前記ディスプレイに表示する画像を切り替えるときは、前記機能の変更後の前記機能で前記ディスプレイに最後に表示していた前記表示データの言語の種別を前記第２の記憶手段から読取り、読み取った種別の言語の表示データを当該切替後の画像として前記ディスプレイに表示する最終表示データ表示手段と、を備えていることを特徴とする画像形成装置。
【請求項２】
前記機能ごとに前記ディスプレイにデフォルトで表示する前記表示データを選択するデフォルト選択手段を備えていることを特徴とする請求項１に記載の画像形成装置。
【請求項３】
前記機能切替手段により前記ディスプレイに表示する画像を切り替える場合、前記機能の変更後の前記機能でモード設定がデフォルトであるときに限り、前記機能の変更後の前記機能で前記ディスプレイに最後に表示していた前記表示データに代えて前記デフォルト選択手段で選択された前記表示データを前記ディスプレイに表示するデフォルト表示手段を備えていることを特徴とする請求項２に記載の画像形成装置。
【発明の詳細な説明】
【０００１】
【発明の属する技術分野】
この発明は、コピー、プリンタおよびファクシミリのうち少なくとも２つの機能を有する画像形成装置に関する。
【０００２】
【従来の技術】
電子写真方式の画像形成装置では、近年、両面モードや画像編集モードなど多くの画像形成モードが用意され、さらにこれら画像形成モードを組み合わせて使用するなどの多機能化が進んでいる。一方、このような多機能化が進む反面、画像形成モードの設定方法が複雑になりつつあるため、ＬＣＤなどのディスプレイを用いた操作パネルを採用し、単にモード設定用のキーなどを表示するだけでなく、設定方法の説明文を同時に表示するオペレータ誘導型の操作パネルが主流となっている。
【０００３】
この説明文は装置が使用されている国の言語で表示されるべきであり、特に外資系企業や複数の民族が混在する地域向けには、予め複数の言語の説明文を搭載し、オペレータが選択的にあるいは装置が表示すべき説明文の言語を判別して、説明文を適切な言語のものに切換える技術が知られている。すなわち、特開平５−１２７４５７号公報には、使用されている用紙や電源電圧の違いから使用する言語を決定する技術が開示されている。特開平６−４６１７９号公報には、衛星からの電波により国を判別し、言語を決定する技術が開示されている。特開平７−１６４６８５号公報には、用紙選択機能と言語切換機能を連動させる技術が開示されている。
【０００４】
【発明が解決しようとする課題】
しかし、用紙や電源電圧の違い、衛星からの電波により、表示すべき言語を選択する技術の場合、例えばオペレータの大部分が外国人であっても、装置が日本国内に設置されている場合は日本語で固定的に表示されてしまう不具合がある。
【０００５】
また、キーの操作などによりオペレータが表示言語を切換える場合であれば、表示する言語は固定的では無くなるものの、最後に装置を利用したオペレータに都合のよい言語が表示されたままとなる不具合がある。例えば、ほとんどのオペレータが日本語を用い、一部のオペレータが英語を用いる環境で、最後のオペレータが英語表示にした場合に、装置の使われ方とは無関係に英語表示が残ることになり、次に装置を使用するオペレータが言語の切換えの操作を行わなければならない可能性が高くなる。
【０００６】
さらに、コピー、プリンタ、ファクシミリなどの機能を持ついわゆる複合機の場合、各機能ごとに表示される頻度の高い言語が異なる場合であっても、各機能とは無関係に最後に表示された言語が残るため、各機能の使われ方に適した表示言語とすることができず前記と同様の問題を生じる。
【０００７】
この発明の目的は、従来に比べて操作性の高い画像形成装置を提供することを目的とする。
【０００８】
【課題を解決するための手段】
請求項１に記載の発明は、コピー、プリンタおよびファクシミリのうち少なくとも２つの機能を有する画像形成装置において、ディスプレイを備えた操作パネルと、前記画像形成装置を使用する前記機能の変更に応じて前記ディスプレイに表示する画像を切り替える機能切替手段と、前記機能ごとに前記画像として異なる言語による複数の表示データを記憶している第１の記憶手段と、前記機能ごとに前記複数の表示データの中から前記ディスプレイに表示するものを選択可能とする言語切替手段と、前記機能ごとに前記複数の表示データの中から前記ディスプレイに最後に表示していたものの言語の種別を記憶する第２の記憶手段と、前記機能切替手段により前記ディスプレイに表示する画像を切り替えるときは、前記機能の変更後の前記機能で前記ディスプレイに最後に表示していた前記表示データの言語の種別を前記第２の記憶手段から読取り、読み取った種別の言語の表示データを当該切替後の画像として前記ディスプレイに表示する最終表示データ表示手段と、を備えていることを特徴とする画像形成装置である。
【０００９】
したがって、画像形成装置を使用する機能を変更するのに応じてディスプレイに表示する画像を切り替えたときは、当該切替後の画像としてディスプレイに最後に表示していた表示データをディスプレイに表示することができるので、画像形成装置を他の機能で使用していたときの表示言語に拘束されず、従来に比べて操作性の高い画像形成装置を提供することができる。
【００１０】
請求項２に記載の発明は、請求項１に記載の画像形成装置において、前記機能ごとに前記ディスプレイにデフォルトで表示する前記表示データを選択するデフォルト選択手段を備えていることを特徴とする。
【００１１】
したがって、機能ごとにディスプレイにデフォルトで表示する表示データを選択することができるので、各機能の使われ方に適した表示言語を設定可能とし、従来に比べて操作性の高い画像形成装置を提供することができる。
【００１２】
請求項３に記載の発明は、請求項２に記載の画像形成装置において、前記機能切替手段により前記ディスプレイに表示する画像を切り替える場合、前記機能の変更後の前記機能でモード設定がデフォルトであるときに限り、前記機能の変更後の前記機能で前記ディスプレイに最後に表示していた前記表示データに代えて前記デフォルト選択手段で選択された前記表示データを前記ディスプレイに表示するデフォルト表示手段を備えていることを特徴とする。
【００１５】
したがって、画像形成装置を使用する機能を変更するのに応じてディスプレイに表示する画像を切り替えたときは、切替後の機能でモード設定がデフォルトである場合に限りディスプレイに最後に表示していた表示データに代えてデフォルトとして選択した表示データをディスプレイに表示するので、オペレータの希望しないタイミングでの表示言語の切替を抑制し、従来に比べて操作性の高い画像形成装置を提供することができる。
【００１６】
【発明の実施の形態】
［発明の実施の形態１］
図1は、この発明の実施の形態１である画像形成装置１の電気的な接続を示すブロック図である。図１において、太線で記した矢印は画像データの移動を示している。図示しないコンタクトガラス上にセットされた紙原稿はＣＣＤ２にて読み取られ、読取制御部３に送られる。この読取制御部３では画像データのＡ／Ｄ変換等が行われる。画像データは、読取制御部３より、画像処理部４に送られて所定の画像処理がなされた後、書込制御部５へと送信される。書込制御部５によりＬＤ（レーザダイオード）６は図示しない感光体に静電潜像の光書き込みを行う。画像形成装置１は、この感光体のほか、静電潜像をトナーで現像する現像装置などを備えた周知の構成の画像形成手段を備えていて、電子写真方式で画像の形成を行う。
【００１７】
なお、本画像形成装置１は、コピー、プリンタ、ファクシミリのいずれとしても用いることができるいわゆる複合機であるので、図示、説明は省略するが、コピーとして用いるための周知のイメージスキャナなどやファクシミリとして用いるための周知のモデムなどの装置を備えている。
【００１８】
画像形成装置１の画像形成モードとしてスタンプモードが設定されているときには、印字制御部７からスタンプ用の画像データが画像処理部４からの原稿画像の出力に同期して出力され、合成された画像データが書込制御部５に送られる。スタンプ画像は印字ＲＡＭ８に格納される。印字制御部７は印字ＲＡＭ８の内容と原稿画像を合成するか否かの切換が可能である。
【００１９】
これらを制御するのがＣＰＵ９で、ＲＯＭ１０に格納されたプログラムにより動作する。ＲＡＭ１１はプログラム実行用のワークメモリとなる。符号２，３，４，５，７の各制御部とＣＰＵ９とはアドレスバス、データバスで接続されている。ＲＯＭ１０は第１の記憶手段としても機能するもので、プログラムのほかに後述する操作パネル１７の表示用の言語データ（文字フォント、テキスト、アイコン用ビットマップデータ）やスタンプ印字画像用ビットマップデータが格納されている。これらは、画像形成装置１をコピーとして用いる場合、プリンタとして用いる場合、ファクシミリとして用いる場合の各々に対応して用意されている。不揮発ＲＡＭ１２には画像形成装置１の電源が遮断されても保持する必要のある設定内容や機械状態を記憶しておくためのものである。符号１３はタイマーであり、経過時間や一定時間の算出に利用される。
【００２０】
印字ＲＡＭ８は用意されるスタンプすべてのビットマップが格納できるほど大きくはなく、たいてい1スタンプ分の大きさに抑えられている。スタンプモードの際はＲＯＭ１０に格納されている印字画像用ビットマップデータの中から選択されたスタンプのデータがＣＰＵ９により印字制御部７を介して印字ＲＡＭ８ヘロードされる。印字制御部７ではスタンプデータの原稿画像に対する合成位置を指定可能であり、後述する操作パネル１７の入力に応じてＣＰＵ９により決定され設定される。位置は右上、右下、左上、左下などである。
【００２１】
ＬＣＤ制御部１４は、ＣＰＵ９がこのＬＣＤ制御部１４を介してＶＲＡＭ１５に展開したビットマップをディスプレイであるＬＣＤ１６に転送表示する。
【００２２】
図２は、画像形成装置１の操作パネル１７の平面図である。操作パネル１７にはＬＣＤ１６が設けられている。また、操作パネル１７には各種のキー１８が配置されている。キー１８としては、言語切替キー１９、プリントキー２０、初期設定キー２２、モードクリアキー２３、コピーキー２６、プリンターキー２７、ファックスキー２８などがあり、これらのキー１８は人カポート２１を介してＣＰＵ９がリードする。なお、コピー、プリンタ、ファクシミリの機能（以下、アプリケーションまたはアプリという）のうち、コピーキー２６は画像形成装置１をコピーのアプリに切り替えるキーであり、プリンターキー２７は画像形成装置１をプリンタのアプリに切り替えるキーであり、ファックスキー２８は画像形成装置１をファクシミリのアプリに切り替えるキーである。また、言語切替キー１９は、ＲＯＭ１０に格納されている操作パネル１７の表示用の言語データに基づき、アプリケーションごとに、ＬＣＤ１６に表示するメッセージの言語を切り替えるキーである。
【００２３】
図３、図４を参照してＶＲＡＭ１５へのデータ書き込みの方法を説明する。図３はメモリ配置図、図４はデータフローダイヤグラムである(丸は処理。矢印はデータフロー。四角はターミネータ。平行線はストア。ストアはＲＯＭ１０、ＲＡＭ１１に該当する。)。図３の1st言語データと記してあるブロックは1つの言語分のデータである。同様に2nd言語データと記してあるブロックも1言語分のデータである。データはＬＣＤ表示用と印字画像用とがあり、ＬＣＤ表示用はテキスト部(文字コード)とビットマップ部(バイナリーコード)がある。テキスト部、ビットマップ部ともにキーに表示される文字列、メッセージ欄に表示される文字列が順に配置される。これはＲＯＭ１０上に配置される。配置順はあらかじめ決められた順であり守られなければならない。
【００２４】
また、そのサイズもあらかじめ決められたサイズである。すなわち、“キーその１"は自動用紙選択キー用のものであり、1st言語が日本語であれば、“自動用紙選択"なる文字コードが格納される。テキストなので割り当てサイズ以内で終了する場合はラインフィードなどの制御文字を使うことでテキストの終わりを表現できる。文字コードは本実施の形態のシステム内ユニークである。テキスト方式を用いたときのメリットは、異なる画面で繰り返し使用される文字についてはそのビットマップパターンを1つだけフォントとして持ち、後は文字コード形式で持つことによりトータルのメモリ(この場合はＲＯＭ１０)の効率を高めることができる。ビットマップに対しではそれぞれの先頭には、たて方向のドットサイズ、よこ方向のドットサイズが順に記されている。ビットマップであるので不必要な位置については空のデータ(例えば０)が記されればよい。これら表示用途(キーや表示データ)別に格納位置を規定しておくことにより、すべてはオフセットアドレスで表現することができるようになるため、例えばC書語でプログラムを記述する場合は図３左に記したブロックのように構造体を定義しておけば、構造体へのポインタひとつをＲＡＭ１１に用意することで、言語の切換に対してはそのポインタを各言語データの先頭アドレス(図３では“キーその１"に対応するアドレス)に初期化するだけでよい。図４のデータフロー「表示要求」は、テキストかビットマップかをあらわす識別子と表示データのオフセットアドレスとＬＣＤ１６上の表示位置であらわされる。
【００２５】
図４の丸の処理をあらわしたものが図５のフローチャートである。まず、“表示要求"の解析をし（ステップＳ１）、テキストかどうか調べる（ステップＳ２）。また、“現在表示言語"と“表示要求"のオフセットアドレスよりデータの実アドレスを算出する（ステップＳ１）。テキストの場合は（ステップＳ２のＹ）渡されたアドレスをリードして文字コードを取得する（ステップＳ３）。これがキャリッジリターン（ＣＲ）であれば（ステップＳ４のＹ）、処理を終了する。そうでなければ（ステップＳ４のＮ）、“文字フォント"のストアから文字コードに対応したビットマップをリードする（ステップＳ５）。“文字フォント"のストアは文字コードを検索のキーにしたビットマップである。ステップＳ５で取得したビットマップデータをＶＲＡＭ６に書き込む（ステップＳ６）。ＶＲＡＭ６のアドレスは“表示要求"で指定された位置に対応する。この書き込み結果はＬＣＤ制御部１４のＬＣＤ１６へのデータ転送周期ごとに反映される。ステップＳ７で1文字分のアドレスを歩進させてステップＳ３へ戻る。ここでは固定フォントサイズとする。
【００２６】
一方、ステップＳ２の判断でビットマップであった場合は（ステップＳ２のＮ）、渡されたアドレスの内容をリードしてビットマップサイズを取得する（ステップＳ８）。そして、ビットマップサイズ格納アドレス分歩進させておく（ステップＳ９）。以降、取得したサイズ分が終了するまで（ステップＳ１０のＹ）、ビットマップデータをリードして（ステップＳ１１）、ＶＲＡＭ１５へその値を書き込み（ステップＳ１２）、歩進させる（ステップＳ１３）処理を繰り返す。アドレスは“表示要求"で指定された位置に対応する。図４，図５の範囲は表示言語には依存しない。
【００２７】
図６は図４を含んだ言語切替動作を示すデータフローダイヤグラムである。図６中で、「ＬＣＤ表示」、「操作パネル（ＶＲＡＭ）」、「言語データテキスト」、「言語データビットマップ」、「文字フォント」については図４の場合と同様である。図６の場合は、単言語仕様のものに対し、「現在表示言語」の参照を「表示言語切替」、「ＬＣＤ表示」に持たせた構成である。「現在表示言語」の内容としては、1st言語、2nd言語なる意味合いで実装される２つの言語のいずれかを示す。「現在表示言語」は、直接あるいは間接的に図３の1st言語データ、2nd言語データを参照できるインデクスを持つものとする。言語切換キー１９が押されると「表示言語切替」にて「現在表示言語」を調べ日本語であれば英語に書き換える(日本語、英語の２言語切換の場合)。言語切換ルールは「表示言語切替」に埋め込まれる。３言語でも４言語でも可能である(切換順のテーブル等を用意してキー押下ごとに切り替えていくやり方などがある)。「現在表示言語」の切換後言語への更新の後に「ＬＣＤ表示」へ表示要求を流す。ここでの表示要求は現在表示されている画面についての複数の表示要求になる。表示要求を流した後、各アプリごとの最後の表示言語の種別をＲＡＭ１１または不揮発ＲＡＭ１２に記憶する。記憶領域は各アプリごとに用意しておく。
【００２８】
図７は、機能切替手段としても機能する、コピーキー２６、プリンターキー２７、ファックスキー２８が操作されたときの動作を、コピーキー２６を操作したときを例に説明するフローチャートである。すなわち、コピーキー２６をオンにすると（ステップＳ２１のＹ）、現在のアプリがコピーなのか、プリンタなのか、ファクシミリなのかを調べる（ステップＳ２２）。そして、現在のアプリがコピーのときは（ステップＳ２３のＹ）、図７の処理を終了し、現在のアプリがプリンタまたはファクシミリのときは（ステップＳ２３のＮ）、ＬＣＤ１６に表示するものとしてコピーのアプリの操作画面を表示する（ステップＳ２４）。次に、ＬＣＤ１６の現在の表示データの言語とコピーのアプリの最後の表示データの言語が同じであるか否かを判断する（ステップＳ２５）。その前提として、各アプリケーションごとにＬＣＤ１６への最後の表示データがどの言語のものであるのか、その種別はＲＡＭ１１または不揮発ＲＡＭ１２に記憶される（第２の記憶手段）。そして、ＬＣＤ１６の現在の表示データの言語とコピーのアプリの最後の表示データの言語が同じであるときは（ステップＳ２５のＹ）、図７の処理を終了し、そうでないときは（ステップＳ２５のＮ）、ＬＣＤ１６の表示をコピーのアプリの最後の表示データに切り替える（ステップＳ２６）。ステップＳ２６は、この発明の最終表示データ表示手段を実現するものである。プリンターキー２７、ファックスキー２８を操作したときの処理も、図７の処理と同様に考えることができる。
【００２９】
したがって、画像形成装置１のアプリケーションを変更するのに応じてＬＣＤ１６に表示する画像を切り替えたときは、当該切替後の画像としてＬＣＤ１６に最後に表示していた表示データをＬＣＤ１６に表示することができるので、画像形成装置１を他のアプリケーションで使用していたときの表示言語に拘束されず、従来に比べて操作性の高い画像形成装置を提供することができる。
【００３０】
図８は、初期設定キー２２が押されたときに表示される初期設定画面の一例であり、画像形成装置１の動作条件等を設定するためのものである。この初期設定画面ではデフォルト言語設定キー２５（デフォルト選択手段）により、コピー、プリンタ、ファクシミリの各アプリごとにデフォルトとして表示する表示データの言語を選択することができる。選択した内容は不揮発ＲＡＭ１２に記憶される。図９は、デフォルト言語設定キー２５のうちプリンタ用の２ｎｄ言語キーが押下されたときの制御を示すフローチャートである。すなわち、プリンタ用の２ｎｄ言語キーがオンにされると（ステップＳ３１）、不揮発ＲＡＭ１２上に確保されたプリンタのアプリ用のデフォルト言語を格納する領域に、２ｎｄ言語がデフォルトであることを書き込む（ステップＳ３２）。これにより、各アプリケーションごとにデフォルト言語設定キー２５で選択した言語の表示データがデフォルトとしてＬＣＤ１６に表示される。
【００３１】
したがって、アプリケーションごとにＬＣＤ１６にデフォルトで表示する表示データを選択することができるので、各アプリケーションの使われ方に適した表示言語を設定可能とし、従来に比べて操作性の高い画像形成装置を提供することができる。
【００３２】
［発明の実施の形態２］
この発明の実施の形態２の画像形成装置１が発明の実施の形態１と相違するのは、図７の処理に代えて図１０の処理を行う点にあり、その他の点については発明の実施の形態１と同様であり、以下の説明では同一符号を用いて詳細な説明は省略する。
【００３３】
次に、図１０の処理について説明する。図１０は、コピーキー２６、プリンターキー２７、ファックスキー２８が操作されたときの動作を、コピーキー２６を操作したときを例に説明するフローチャートである。すなわち、コピーキー２６をオンにすると（ステップＳ４１のＹ）、現在のアプリがコピーなのか、プリンタなのか、ファクシミリなのかを調べる（ステップＳ４２）。そして、現在のアプリがコピーのときは（ステップＳ４３のＹ）、図１０の処理を終了し、現在のアプリがプリンタまたはファクシミリのときは（ステップＳ４３のＮ）、ＬＣＤ１６に表示するものとしてコピーのアプリの操作画面を表示する（ステップＳ４４）。そして、コピーアプリのデフォルトで表示するデータの言語が何であるのか調べる（ステップＳ４５）。次に、ＬＣＤ１６の現在の表示データの言語とコピーのアプリのデフォルトで表示する表示データの言語が同じであるか否かを判断する（ステップＳ４６）。そして、ＬＣＤ１６の現在の表示データの言語とコピーのアプリのデフォルトで表示する表示データの言語が同じであるときは（ステップＳ４６のＹ）、図１０の処理を終了し、そうでないときは（ステップＳ４６のＮ）、ＬＣＤ１６の表示をコピーのアプリのデフォルトで表示する表示データに切り替える（ステップＳ４７）。ステップＳ４７は、デフォルト表示手段の機能を実現するものである。プリンターキー２７、ファックスキー２８を操作したときの処理も図１０の処理と同様に考えることができる。
【００３４】
したがって、画像形成装置１のアプリケーションを変更するのに応じてＬＣＤ１６に表示する画像を切り替えたときは、デフォルトとして選択した言語の表示データをＬＣＤ１６に表示するので、言語切替キー１９を動作させること無く、各アプリケーションの使われ方に適した表示言語を設定可能とし、従来に比べて操作性の高い画像形成装置を提供することができる。
【００３５】
［発明の実施の形態３］
この発明の実施の形態３の画像形成装置１が発明の実施の形態１と相違するのは、図７の処理に代えて図１１の処理を行う点にあり、その他の点については発明の実施の形態１と同様であり、以下の説明では同一符号を用いて詳細な説明は省略する。
【００３６】
次に、図１１の処理について説明する。図１１は、コピーキー２６、プリンターキー２７、ファックスキー２８が操作されたときの動作を、コピーキー２６を操作したときを例に説明するフローチャートである。すなわち、コピーキー２６をオンにすると（ステップＳ５１のＹ）、現在のアプリがコピーなのか、プリンタなのか、ファクシミリなのかを調べる（ステップＳ５２）。そして、現在のアプリがコピーのときは（ステップＳ５３のＹ）、図１１の処理を終了し、現在のアプリがプリンタまたはファクシミリのときは（ステップＳ５３のＮ）、ＬＣＤ１６に表示するものとしてコピーのアプリの操作画面を表示する（ステップＳ５４）。次に、デフォルト以外のモード設定がなにかなされている場合は（ステップＳ５６のＹ）、図１１の処理を終了し、モード設定がデフォルトの設定のみであるときは（ステップＳ５６のＮ）、コピーアプリのデフォルトで表示するデータの言語が何であるのか調べる（ステップＳ５７）。次に、ＬＣＤ１６の現在の表示データの言語とコピーのアプリのデフォルトで表示する表示データの言語が同じであるか否かを判断する（ステップＳ５８）。そして、ＬＣＤ１６の現在の表示データの言語とコピーのアプリのデフォルトで表示する表示データの言語が同じであるときは（ステップＳ５８のＹ）、図１１の処理を終了し、そうでないときは（ステップＳ５８のＮ）、ＬＣＤ１６の表示をコピーのアプリのデフォルトで表示する表示データに切り替える（ステップＳ５９）。ステップＳ５９は、デフォルト表示手段の機能を実現するものである。プリンターキー２７、ファックスキー２８を操作したときの処理も図１１の処理と同様に考えることができる。
【００３７】
したがって、画像形成装置１のアプリケーションを変更するのに応じてＬＣＤ１６に表示する画像を切り替えたときは、切替後のアプリケーションでモード設定がデフォルトである場合に限りＬＣＤ１６に最後に表示していた表示データに代えてデフォルトとして選択した表示データをＬＣＤ１６に表示するので、オペレータの希望しないタイミングでの表示言語の切替を抑制し、従来に比べて操作性の高い画像形成装置を提供することができる。
【００３８】
【発明の効果】
請求項１に記載の発明は、画像形成装置を使用する機能を変更するのに応じてディスプレイに表示する画像を切り替えたときは、当該切替後の画像としてディスプレイに最後に表示していた表示データをディスプレイに表示することができるので、画像形成装置を他の機能で使用していたときの表示言語に拘束されず、従来に比べて操作性の高い画像形成装置を提供することができる。
【００３９】
請求項２に記載の発明は、請求項１に記載の画像形成装置において、機能ごとにディスプレイにデフォルトで表示する表示データを選択することができるので、各機能の使われ方に適した表示言語を設定可能とし、従来に比べて操作性の高い画像形成装置を提供することができる。
【００４１】
請求項３に記載の発明は、請求項２に記載の画像形成装置において、画像形成装置を使用する機能を変更するのに応じてディスプレイに表示する画像を切り替えたときは、切替後の機能でモード設定がデフォルトである場合に限りディスプレイに最後に表示していた表示データに代えてデフォルトとして選択した表示データをディスプレイに表示するので、オペレータの希望しないタイミングでの表示言語の切替を抑制し、従来に比べて操作性の高い画像形成装置を提供することができる。
【図面の簡単な説明】
【図１】この発明の実施の形態１である画像形成装置の電気的な接続を示すブロック図である。
【図２】前記画像形成装置の操作パネルの平面図である。
【図３】前記画像形成装置のＶＲＡＭへのデータ書き込みの方法を説明するメモリ配置図である。
【図４】前記画像形成装置のＶＲＡＭへのデータ書き込みの方法を説明するデータフローダイヤグラムである。
【図５】前記画像形成装置のＶＲＡＭへのデータ書き込みの方法を説明するフローチャートである。
【図６】前記画像形成装置のＶＲＡＭへのデータ書き込みの方法を説明するデータフローダイヤグラムである。
【図７】前記画像形成装置において、コピーキー、プリンターキー、ファックスキーが操作されたときの動作を、コピーキーを操作したときを例に説明するフローチャートである。
【図８】前記操作パネルの初期設定モードの画面表示例を示す平面図である。
【図９】前記画像形成装置において、デフォルト言語設定キーのうちプリンタ用の2nd言語キーが押下されたときの制御を示すフローチャートである。
【図１０】この発明の実施の形態２である画像形成装置において、コピーキー、プリンターキー、ファックスキーが操作されたときの動作を、コピーキーを操作したときを例に説明するフローチャートである。
【図１１】この発明の実施の形態３である画像形成装置において、コピーキー、プリンターキー、ファックスキーが操作されたときの動作を、コピーキーを操作したときを例に説明するフローチャートである。
【符号の説明】
１      画像形成装置
１０    第１の記憶手段
１１    第２の記憶手段
１２    第２の記憶手段
１６    ディスプレイ
１７    操作パネル
１９    言語切換手段
２５    デフォルト選択手段
２６    機能切替手段
２７    機能切替手段
２８    機能切替手段
【図１】
0003877260.tif 000002
【図２】
0003877260.tif 000003
【図３】
0003877260.tif 000004
【図４】
0003877260.tif 000005
【図５】
0003877260.tif 000006
【図６】
0003877260.tif 000007
【図７】
0003877260.tif 000008
【図８】
0003877260.tif 000009
【図９】
0003877260.tif 000010
【図１０】
0003877260.tif 000011
【図１１】
0003877260.tif 000012